(57)【要約】      （修正有）【課題】簡便で迅速にレンズユニットをレンズユニット支持体中から取り出すレンズモジュール解体治具を提供する。【解決手段】レンズモジュール解体治具は、２つの挟持部２０，３０を有し、何れも矩形ブロック状を呈し、並列に設置され、上端が相互に連接し、２つの挟持部の間に隙間を有し、その下端は、平らに揃い、２つの挟持部の相対する側面の下端箇所に半円柱の収容槽４０を開設し、２つの収容槽４０は、円柱形を呈する凹槽を構成することができる。２つの挟持部の下端を利用し、レンズユニット支持体が設ける弾性片のレンズユニットに対する係止作用を解除するだけでなく、２つの挟持部を用いてレンズユニットを挟み、レンズユニットの支持体からレンズユニットを抜き出すことに用いることができるので、操作が簡便、精確、迅速に解体作業を完成することができる。【選択図】図２
0003148552.tif 000002
【実用新案登録請求の範囲】
【請求項１】
２つの挟持部を有し、２つの挟持部が何れも矩形ブロック状を呈し、２つの挟持部は、並列に設置され、上端が相互に連接し、２つの挟持部の間に隙間を有し、２つの挟持部の下端は、平らに揃い、２つの挟持部の相対する側面の下端箇所に半円柱の収容槽を開設し、２つの収容槽は、円柱形を呈する凹槽を構成することができるレンズモジュール解体治具。
【請求項２】
前記挟持部上端は、方形ブロック状の基部が相互に連接してなる請求項１記載のレンズモジュール解体治具。
【請求項３】
前記挟持部下端の前後辺縁が何れも下向きに矩形片状の弾性片退出部を凸伸する請求項１記載のレンズモジュール解体治具。
【請求項４】
前記挟持部の下端中部箇所に収容槽と相互に連通する係止凹溝を開設する請求項１記載のレンズモジュール解体治具。
【考案の詳細な説明】
【技術分野】
【０００１】
本考案は、解体治具に関し、レンズモジュール解体治具に関する。
【背景技術】
【０００２】
使用者の携帯電話等の電子製品に対する多機能の要求により、益々多くの製造業者がカメラ機能を実現可能なレンズモジュールを携帯電話等の電子製品中に整合し始め、カメラ機能に対する要求を満足させている。
【０００３】
一般のレンズモジュールは、レンズユニットと、レンズユニット支持体と、を含み、レンズユニットをレンズユニット支持体に載置する時、レンズユニット支持体の弾性構造が力を受けて支持を開始し、レンズユニットを載置することができる。通常、携帯電話等の電子製品の組み立て及び修理過程において、レンズユニットをレンズユニット支持体中から解体する。しかしながらレンズモジュールの解体が容易ではないので、レンズユニットをレンズユニット支持体中から解体する時、通常、専門のレンズモジュール解体治具を採用する。
【０００４】
図４において、従来のレンズモジュールは、レンズユニット２００とレンズユニット支持体３００を含む。レンズユニット２００は、方形ブロック状の基台２０１を有する。レンズユニット支持体３００は、レンズユニット２００を収容する基台２０１を有する方形の収容室３１０と収容室３１０の室壁箇所に位置する弾性片３０１を有し、弾性片３０１の下端は、基台２０１上に係合され、これにより、レンズユニット２００がレンズユニット支持体３００内に固定される。
【０００５】
図４において、従来のレンズモジュールの解体に用いるレンズモジュール解体治具４００は、矩形フレーム状を呈する基枠１０中部に方形孔２０を形成し、基枠１０の各辺の底面外側の下向きに３つの押圧体１０１及び１つのそれぞれ相応する３つの押圧体１０１と連接する一体の挟持片１０２を延伸する。
【０００６】
また、レンズモジュール解体治具４００の外径とレンズユニット支持体３００の内径は、相互にマッチする。
【０００７】
図４において、前記従来のレンズモジュール解体治具４００がレンズモジュールを解体する時、レンズモジュール解体治具４００下端をレンズユニット支持体３００内に挿入し、押圧体１０１にレンズユニット支持体３００の弾性片３０１を外向きに押圧させ、弾性片３０１にレンズモジュール２００を係止させないようにすることができ、それにより、その他の工具を採用し、レンズユニット２００をレンズユニット支持体３００中から取り出すことができる。
【０００８】
しかしながら、上記従来のレンズモジュール解体治具４００は、レンズユニット支持体３００のレンズユニット２００に対する係止作用を解除することができるだけであり、その他の工具を用いてレンズユニット２００をレンズユニット支持体３００中から取り出す必要があり、便利性に欠け、迅速な取り出し作業の完成が困難である。
【特許文献１】特開２００５−２０８６４７号公報
【考案の開示】
【考案が解決しようとする課題】
【０００９】
本考案の目的は、上記従来技術に存在する欠陥に対して簡便で迅速にレンズユニットをレンズユニット支持体中から取り出すレンズモジュール解体治具を提供することである。
【課題を解決するための手段】
【００１０】
上記目的を実現するため、本考案のレンズモジュール解体治具は、２つの挟持部を有し、２つの挟持部は、何れも矩形ブロック状を呈し、２つの挟持部は、並列に設置され、上端が相互に連接し、２つの挟持部の間に隙間を有し、２つの挟持部の下端は、平らに揃い、２つの挟持部の相対する側面の下端箇所に半円柱の収容槽を開設し、２つの収容槽は、円柱形を呈する凹槽を構成することができる。
本考案は、下記の特徴を有する。
（１）２つの挟持部を有し、２つの挟持部が何れも矩形ブロック状を呈し、２つの挟持部は、並列に設置され、上端が相互に連接し、２つの挟持部の間に隙間を有し、２つの挟持部の下端は、平らに揃い、２つの挟持部の相対する側面の下端箇所に半円柱の収容槽を開設し、２つの収容槽は、円柱形を呈する凹槽を構成することができるレンズモジュール解体治具。
（２）前記挟持部上端は、方形ブロック状の基部が相互に連接してなる（１）記載のレンズモジュール解体治具。
（３）前記挟持部下端の前後辺縁が何れも下向きに矩形片状の弾性片退出部を凸伸する（１）記載のレンズモジュール解体治具。
（４）前記挟持部の下端中部箇所に収容槽と相互に連通する係止凹溝を開設する（１）記載のレンズモジュール解体治具。
【考案の効果】
【００１１】
上記のように、本考案のレンズモジュール解体治具は、２つの挟持部の下端を利用し、レンズユニット支持体が設ける弾性片のレンズユニットに対する係止作用を解除するだけでなく、２つの挟持部を用いてレンズユニットを挟み、レンズユニットの支持体からレンズユニットを抜き出すことに用いることができるので、本考案のレンズモジュール解体治具は、操作が簡便、精確、迅速に解体作業を完成することができる。
【考案を実施するための最良の形態】
【００１２】
本考案の技術的内容、構造特徴、達成する効果を詳細に説明するため、以下に実施例を挙げ、図面に合わせて説明する。
【００１３】
先ず、図３において、レンズモジュールは、レンズユニット支持体８０とレンズユニット支持体８０内に挿入設置されるレンズユニット９０を含み、前記レンズユニット９０は、方形を呈する基台９１と基台９１上に設けられるレンズ体９２を有し、前記レンズ体９２上に定位ブロック９２１を凸伸する。前記レンズユニット支持体８０は、定位ブロック９２１と対応する箇所に定位溝８１を開設し、前記レンズユニット支持体８０前後両内側壁にそれぞれ２つの弾性片８２を設置し、弾性片８２は、基台91上に係止される。
【００１４】
図１、図２において、本考案のレンズモジュール解体治具１００は、矩形長方形ブロック状の金属材料が湾曲して形成され、それは、基部１０、第１挟持部２０、第２挟持部３０を含む。前記第１挟持部２０と第２挟持部３０は、左右並列に設置され、且つ上端が基部１０によって相互に連接され、且つ第１挟持部２０の下端と第２挟持部３０の下端は平らに揃い、第１挟持部２０の前後表面は、それぞれ第２挟持部３０の前後表面と平らに揃う。該レンズモジュール分解治具１００の外部寸法は、レンズユニット支持体８０の内部寸法とマッチする。前記第１、第２挟持部２０，３０は、相対圧合できる。前記第１、第２挟持部２０，３０の相対する側面下端箇所に半円柱形の収容槽４０を開設し、２つの収容槽４０は、円柱形を呈する凹槽を構成することができる。第１，第２挟持部２０，３０下端の前後辺縁は、何れも下向きに矩形状の弾性片退出部５０を延伸し、前記第１挟持部２０の左表面下端中部箇所に収容槽４０と相互に連通する係止凹溝６０を開設する。
【００１５】
本考案のレンズモジュール解体治具１００を利用し、レンズユニット支持体８０内に挿入設置されたレンズユニット９０を取り出す時、凹溝６０、収容槽４０にそれぞれレンズユニット９０の定位ブロック９２１，レンズ体９２に対向させ、レンズモジュール解体治具１００をレンズユニット支持体８０中に挿入し、この時、弾性片退出部５０と第１，第２挟持部２０，３０の下端がレンズユニット支持体８０の弾性片８２を外向きに押圧し、基台９１の係止を解除し、弾性片退出部５０がレンズユニット９０とレンズユニット支持体８０とが形成する隙間中に挿入し、レンズ体９２が収容槽４０内に挿入され、この時、第１，第２挟持部２０，３０にレンズユニット９０を挟持させ、レンズユニット９０をレンズユニット支持体８０から抜き出すことができる。
【００１６】
上記のように、本考案のレンズモジュール解体治具１００は、挟持部下端を利用し弾性片８２の基台９１上に対する係止作用を解除するだけではなく、挟持部２０，３０を用いてレンズユニット９０を挟持し、それを直接レンズユニット支持体８０から取り出すことができるので、本考案のレンズモジュール解体治具１００は、操作が簡便、精確、迅速に解体作業を完成することができる。
【図面の簡単な説明】
【００１７】
【図１】本考案のレンズモジュール解体治具の実施例の立体図である。
【図２】本考案のレンズモジュール解体冶具のもう１つの視角から見た立体図である。
【図３】図１に示すレンズモジュール解体冶具とレンズモジュールの立体図である。
【図４】従来のレンズモジュール解体治具とレンズモジュールの立体図である。
【符号の説明】
【００１８】
（従来技術）
４００  レンズモジュール解体治具
１０  基枠
１０１  押圧体
１０２  挟持片
２０  方形孔
２００  レンズユニット
２０１  基台
２０２  凹溝
３００  レンズユニット支持体
３１０  収容室
３０１  弾性片
（本考案）
１００  レンズモジュール解体治具
１０  基部
２０  第１挟持部
３０  第２挟持部
４０  収容槽
５０  弾性片退出部
６０  係止凹溝収容体
７０  隙間
８０  レンズユニット支持体
８１  定位溝
８２  弾性片
９０  レンズユニット
９１  基台
９２  レンズ体
９２１  定位ブロック
【図１】
0003148552.tif 000003
【図２】
0003148552.tif 000004
【図３】
0003148552.tif 000005
【図４】
0003148552.tif 000006